(57)【特許請求の範囲】
【請求項１】
２つのロック（１０、２０）の接続および分離のためのスライダ（３０）であって、
包み（１、２）をロックしている状態にある第１の包み（１）の第１のロック（１０）および第２の包みの第２のロック（２０）が、互いに接続された第１の帯状異形材（１２；２２）及び第２の帯状異形材（１１；２１）で構成され、前記第１の帯状異形材（１２；２２）及び前記第２の帯状異形材（１１；２１）が、互いに平行かつ流れの方向（Ｄ）を横切るように向けられており、第１の帯状異形材（１２；２２）が、少なくとも１つのロック部材（１３；２３）にて第２の帯状異形材（１１；２１）よりも流れの方向（Ｄ）に突き出しており、ロック（１０、２０）は、包み（１、２）を流れの方向の通過を案内するように互いに接続するため、および包み（１、２）をお互いに対して閉じるために適しており、
当該スライダ（３０）は、ロック（１０、２０）を鋭角（γ）を囲む挿入方向（Ａ、Ｂ）にて当該スライダ（３０）へと挿入することができる挿入面（３１）を備えており、
挿入面（３１）が、互いに接続されかつロックされたロック（１０、２０）を共通のスライド方向（Ｃ）にて当該スライダ（３０）から取り出すことができる出口面（３２）の反対側にあるスライダ（３０）であって
流れの方向（Ｄ）を横切って互いに平行かつ反対を向いて配置された第１および第２のカバー面（３５、３６）と、
第１のカバー面（３５）に向かって開いており、一方の挿入方向（Ａ）を横切るように向いており、２つのレグを互いに接続するベース（３７）を備えている第１のＵ字形の断面（３３）と、
第２のカバー面（３６）に向かって開いており、他方の挿入方向（Ｂ）を横切るように向いている第２のＵ字形の断面（３４）であって、前記Ｕ字形の断面（３４）の、２つのレグを互いに接続する第２のベース（３８）が、第１のベース（３７）に対し反対の方向を向いている第２のＵ字形の断面（３４）とを備え、
少なくとも２〜３面において閉じている複数の挿入チャネル（４１、４２）が、スライダに配置され、流れの方向（Ｄ）を横切るように向けられ、開いたＵ字形の断面（３３、３４）を有し、出口面（３２）に向かって出口チャネル（４３）へと抜けており、
ロック（１０、２０）を、お互いに対して角度（γ）で挿入方向（Ａ、Ｂ）に前記複数の挿入チャネル（４１、４２）を通って出口チャネル（４３）へと案内でき、さらに出口チャネル（４３）を通って案内でき、流れの方向（Ｄ）に平行に向けられ出口面（３２）の少なくとも一領域から始まっているすき間（４４）を出口面における終端としている出口チャネル（４３）が、第１のカバー面（３５）から第２のカバー面（３６）まで流れの方向（Ｄ）に沿ってスライダ（３０）を分割していることを特徴とするスライダ（３０）。
【請求項２】
ロック（１０、２０）を、互いに反対方向を向いて適切に配置された第１および第２のベース（３７、３８）によってＵ字形の断面（３３、３４）へと挿入することができ、第１のロック（１０）が、突き出している自身のロック部材（１３）によって、おおむね第２のロック（２０）の前記第２の帯状異形材（２１）の第２のロック部材の高さにおいて案内されることを特徴とする請求項１に記載のスライダ（３０）。
【請求項３】
流れの方向（Ｄ）を横切る方向に延びる溝が、カバー面（３５、３６）の領域においてそれぞれのベース（３７、３８）から離れる方を向いてスライダ（３０）に配置され、
該溝に、ロック（１０、２０）を案内すべく対面するカバー面（３５、３６）のＵ字形の断面（３３、３４）を先細りにする案内レール（４６）を取り付けることができることを特徴とする請求項１又は請求項２に記載のスライダ（３０）。
【請求項４】
挿入面（３１）において、少なくとも１つのストッパ（４５）が、互いに接続されるロック（１０、２０）からスライダ（３０）が抜け出すことを防止することを特徴とする請求項１乃至請求項３のいずれか一項に記載のスライダ（３０）。
【請求項５】
少なくとも１つのストッパ（４５）が、前記第１の帯状異形材（１２；２２）及び前記第２の帯状異形材（１１；２１）のうち、少なくとも１つの帯状異形材（１１、１２；２１、２２）の局所的な変更と協働するように意図されていることを特徴とする請求項４に記載のスライダ（３０）。
【発明の詳細な説明】
【技術分野】
【０００１】
本発明は、請求項１の冒頭部分の特徴による２つの帯状異形材を用いたロック、およびそのようなロックの接続および分離のための請求項２の特徴によるスライダに関する。
【背景技術】
【０００２】
液体または固体のバルク材料は、包み（ｂｕｎｄｌｅ）にて保持されることが多い。包みは、少なくとも一部分が柔軟に構成された包みであってもよい。そのような包みは、例えば、容器に吊り下げられる袋として得られる。好ましくは、包みは、終わりのないホースから製造され、ホースの一部分として種々の方法および手段で閉じられる。特に頻繁には、そのような包みは、液体または固体のバルク材料の梱包、輸送、および保管に使用される。本出願において、包みという用語は、完全に閉じられた可撓な袋だけでなく、例えば可撓であって少なくとも２つの側において開いており、装置または容器へと取り付けることが可能であるアダプタも含む。
【０００３】
実務においてそのような包みを空にし、充填し、あるいは再充填することは、場合によっては困難であり、危険ですらある。特には包みのバルク材料が危険または取扱注意である場合に、バルク材料の汚染およびバルク材料による環境の汚染を防ぐべきであることは、言うまでもない。このため、特にはそのような包みをドッキングさせるためのあらゆるロックおよび接続部は、可能な限り耐環境封止されるように製造されなければならない。これらの課題を背景として、最初に述べた包みのための特別なロックであって、個々の事例において汚染を防止するための助けを提供するためのロックが、開発されている。
【０００４】
そのようなロックを、例えばＤＥ  １０  ２００４  ００３  ５１１  Ｂ４に見ることができる。しかしながら、接続の安定性に関して、そのようなロックは、多くの場合に充分には安全でない。
【発明の概要】
【発明が解決しようとする課題】
【０００５】
本発明の根底にある課題は、最初に述べた包みのためのロックであって、そのような包みの互いの接続または他の処置機構との接続について、耐環境封止された接続を可能にするとともに、互いに接続された包みまたは接続された装置の間の流れについて、耐環境封止された案内を可能にするロックを提供することにある。さらに、このロックは、可能であれば、少なくとも１つの少なくとも一部分が可撓な包みにおいて、包みの一部分である必要もなく、普遍的に使用可能でなければならない。そのようなロックが、包みの間で、特には流れの方向に衝撃が生じたときにも破れることがない可能な限り確実な接続を生み出さなければならない。また、ロックが、可能な限り費用効果に優れた方法で、最良の場合には追加の加工または組み立てを実質的に必要としない反物（ｐｉｅｃｅ  ｇｏｏｄｓ）として製造されるべきである。
【課題を解決するための手段】
【０００６】
この課題は、本発明に撚れば、請求項１の特徴を有する２つの帯状異形材を用いたロックおよび請求項２の特徴を有するスライダによって解決される。
【０００７】
本発明の好都合な実施形態が、従属請求項に提示される。
【発明の効果】
【０００８】
本発明は、第１の包みを第２の包みへと耐環境封止された様相で接続できるようにするとともに、開口しつつドッキングした状態の第１の包みから第２の包みへとロックを通って流れの方向に全体の流れを耐環境封止された様相で案内できるようにする。
【０００９】
第１の包みに面して、第２の包みが、開口しつつドッキングした状態を実現すべく第１の包みのロックに係合させることができる同一のロックを有している。この開口しつつドッキングした状態において、接続された包みのロックが、流れの方向のバルク品の流れのための流路を形成する。
【００１０】
ロックは、少なくとも一部分が可撓である包みをロックするための２つの帯状異形材を備えており、すなわち太い帯状異形材および細い帯状異形材を備えている。太い帯状異形材が、包みおよび第１の帯状異形材に平行に向けられた細い帯状異形材を介して流れの方向に広がっている。両方の帯状異形材が、もっぱら流れの方向を横切る方向に向いたロック部材を、噛み合い接続の様相で互いに係合するように備えている。
【００１１】
帯状異形材のロック部材のすべてが、流れの方向の荷重を高度の安全性にて補償できるよう、流路の中または流路の外へと、流れの方向を横切る方向に向けられている。あるバルク製品が例えば第１の包みから第２の包みへと流れの方向に注がれる場合、衝撃荷重が、バルク品が第２の包みの底へと落下する場合にロックに生じる。流れの方向を横切るように配置されたロック部材が、帯状異形材の分離を効果的に防止するため、そのような流れの方向の衝撃に耐える。
【００１２】
好都合な方法で、包みを、耐環境封止された帯状異形材の互いの接続を生み出すために、同一に構成されたロックによってお互いに対して横方向に押し付けることができる。包みをお互いに対して横方向に押し付けることは、包みがロックによってロックされている場合に、安全な接続ももたらし、ロックへと同一のロックが横方向に押し付けられる場合に、２つの包みの間の流れも生み出す。この場合、２つの包みが互いにドッキングする。
【００１３】
ユーザにとって、横方向のドッキングは、接続の強度に加えて、包みを互いに横並びに配置することがきわめて楽に実現できる点で、実用的な利点を有する。例えば、空の包みを、容易に一杯の包みにすることができる。包みを互いにドッキングさせるために、ドッキングが横方向にもたらされるため、いずれの包みも垂直方向に移動させる必要がない。
【００１４】
ロックの接続および分離のために、ロックから取り外すことができるスライダが用意され、そのようなスライダを、流れの方向を横切る接続を形成するために閉じたロックまでスライドさせることができる。
【００１５】
スライダは、流れの方向を向きかつ反対向きに配置された挿入面および出口面を有している。挿入面において、２つの包みのロックを、挿入方向に挿入することができる。挿入方向は、流れの方向を横切るように延びており、鋭角で交わっている。お互いへと向かうこの角度で、挿入面においてロックをスライダへと挿入することができる。出口面において、スライダによって互いに接続されたロックを、最初はそれぞれのロックそのものがロックされた状態で、共通のスライド方向にスライダから導き出すことができる。
【００１６】
帯状異形材の間で働くロック部材は、好都合には、包みの制御されない開放が回避されるように、１つのロックの帯状異形材の間または２つのロックの帯状異形材の間で、アクチュエータによって制御された方法で解放される。アクチュエータを、例えば、特にはストラップとして構成されたアクチュエータのように、手動で動作させることができる。本発明によれば、これが、スライダがロックを互いに接続した後で行われる。ストラップが、お互いから離れるように横方向に引かれる。これにより、どのストラップにどの角度で横方向の張力が加えられるかに応じて、所望のロック部材を解放することができる。
【００１７】
噛み合い接続にて協働するロック部材の構成は、プラスチック帯としての帯状異形材の適切な押し出し材を、きわめて好ましい幾何学的形状に形作ることができるため、好都合である。さらには、このように形作られたロック部材は、通常は薄い包みの肉厚ゆえに、きわめて良好にロックを果たす。ロック部材のそのような実施形態の形態は、多数回の荷重に対してきわめて丈夫かつ安定であることに加え、噛み合いから解放されるまで堅固に噛み合う。このために、ロック部材を、帯状異形材から流れの方向に平行でないように曲げることができる。
【００１８】
本発明を、以下の図を使用して詳しく説明する。
【図面の簡単な説明】
【００１９】
【図１】スライダについて、出口面を斜めに見た斜視図である。
【図２】図１のスライダについて、挿入面を斜めに見た斜視図である。
【図３】図１のスライダについて、出口面を斜めに見た斜視図であり、スライダを通って案内されてスライダによって接続された２つのロックが示されているが、それらロックによってロックされた包みは省略されている。
【図４】図１のスライダについて、挿入面を斜めに見た斜視図であり、２つのロックがスライダへの挿入方向においてロックされ、スライダを通って移動するが、包みは省略されている。
【図５】図３および４に示すロックが挿入されたスライダについて、挿入の方向を含む平面による断面図である。
【図６】スライダによって互いに接続された２つの包みの斜視図であり、２つの包みが開口しつつドッキングした状態にある。
【発明を実施するための形態】
【００２０】
図１および２は、実施形態の例によるスライダ３０を、スライダ３０の２つの側３１、３２からの斜視図にて示している。図１および２の斜視図は、２つのロック１０、２０が包みが存在しない状態でスライダ３０へと挿入されて示されている図３および４の斜視図によって補完される。図５が、図３および４に示すロック１０、２０が挿入された状態のスライダ３０について、ロック１０、２０のスライダ３０への挿入の方向Ａ、Ｂによって定められる平面による断面を示している。図６は、図１の実施形態の例のようなスライダ３０を、図３および４のようなロック１０、２０の一方を備える２つの包み１、２を開口させつつドッキングさせた状態で示している。
【００２１】
同一の部分には、同一の参照符号が付されている。より見易くするために、すべての図においてすべての参照符号が示されているわけではない。
【００２２】
スライダ３０は、２つの翼状のハンドルを両側の縦長の側面に取り付けて有している本体を備えている。本体は、おおむね直平行六面体の形状を有している。本体は、前記縦長の側面を互いに接続する挿入方向Ａ、Ｂに沿ったさらなる縦長の面として、第１のカバー面３５および反対側の第２のカバー面３６を有している。
【００２３】
スライダ３０は、挿入方向Ａ、Ｂを横切る挿入面３１を前面に備えている。挿入面３１において、ロック１０、２０をスライダ３０へと挿入方向Ａ、Ｂに挿入することができ、挿入方向Ａ、Ｂは、鋭角γを囲んでいる。スライダ３０は、挿入面３１の反対側に出口面３２を備えている。出口面３２において、スライダ３０によって互いに接続可能でありロックされたロック１０、２０を、共通のスライド方向Ｃにて、スライダ３０を貫いて延びている流れの方向Ｄを向いたすき間４４を通って、スライダ３０から出すことができる。すき間４４は、２つのカバー面３５、３６に向かって開いている。
【００２４】
挿入面において、スライダ３０は、第１のカバー面３５に向かって開いた第１のＵ字形の断面３３を、一方の挿入方向Ａを横切るように有している。第１のＵ字形の断面は、第１のカバー面３５において開いて終わる２つのレグを、第１のベース３７によって互いにつないでいる。レグは、ロック１０、２０に嵌合する互いに向かい合った輪郭を有している。
【００２５】
第１のＵ字形の断面に隣接し、かつ挿入方向Ａ、Ｂを通って広がる平面（図５）に関して鏡像対称に、スライダ３０は、第２のカバー面３６へと開いた第２のＵ字形の断面３４を備えており、第２のＵ字形の断面３４は、他方の挿入方向Ｂを横切るように広がっている。やはり２つのレグを互いにつないでいる第２のＵ字形の断面３４の第２のベース３８が、第１のベース３７から離れる方を向いている。第２のＵ字形の断面の２つのレグも、同様に、第２のカバー面３６において開いた様相で終わっている。やはり、これらのレグの少なくとも一方が、輪郭にてロック１０、２０に嵌合する。
【００２６】
ロック１０、２０は、第１の包み１を第２の包み２へと耐環境封止された様相で接続し、開口しつつドッキングした状態の第１の包み１から第２の包み２へとロック１０、２０を通過する流れの方向Ｄの流れを耐環境封止された様相で案内するために、少なくとも一部分が可撓である包み１、２（図６）のための２つの帯状異形材１１、１２；２１、２２を備えている。第２の包み２が、第１の包み１に面する同一のロック１０、２０を有している。
【００２７】
図６のような開口しつつドッキングした状態において、第１の包み１のロック１０が、第２の包み２のロック２０に係合している。ロック１０、２０が協働し、流れの方向Ｄの流れのための流路３を形成している。
【００２８】
図３〜５によれば、帯状異形材１１、１２；２１、２２が、互いに向かい合わせに配置され、間に包み１、２を挟んで包み１、２を閉じる。太い方の帯状異形材１２、２２が、細い方の帯状異形材１１、２１を介して流れの方向Ｄに広がっている。いずれの帯状異形材１１、１２；２１、２２も、チャネルの外およびチャネルの中の両方へともっぱら流れの方向Ｄを横切る方向に向いたロック部材１３、１３を備えている。ロック部材１３、２３は、噛み合い接続の様相で互いに係合する。
【００２９】
図３〜５に示す、第１および第２のベース３７、３８を適切に配置することによって、互いに面するように配置されたロック１０、２０を、Ｕ字形の断面３３、３４へと挿入することができる。第１のロック１０が、突き出しているロック部材１３によって、おおむね第２のロック２０の細い方の帯状異形材２１のさらなるロック部材の高さへと案内される。
【００３０】
スライダ３０は、入り口チャネル４１、４２および出口チャネル４３を接続しているＵ字形の断面３３、３４およびすき間４４を呈している。入り口チャネル４１、４２は、流れの方向Ｄを横切る方向に向けられ、Ｕ字形の断面３３、３４によって開いている。図３〜５の実施形態の例によれば、入り口チャネル４１、４２は、３面において閉じられ、スライダ３０のおおむね中央で出口チャネル４３へと抜けている。ロック１０、２０が、お互いに対して角度γで挿入方向Ａ、Ｂに挿入チャネル４１、４２を通って出口チャネル４３へと案内され、出口チャネル４３を通過する。出口チャネル４３は、すき間４４の出口面３２で終わっている。
【００３１】
ベース３７、３８から離れる方を向いている挿入チャネル４１、４２ならびに出口チャネル４３において、スライダ３０は、流れの方向Ｄを横切る方向に延びており、それぞれのカバー面３５、３６の領域へと変化している溝を有している。これらの溝に、案内レール４６が挿入され、ここでははめ込まれている。案内レール４６は、ガイドにロック１０、２０を保持するように面するカバー面３５、３６の挿入チャネル４１、４２および出口チャネル４３を狭めている。
【００３２】
挿入面において、挿入チャネル４１、４２には、スライダ３０が互いに接続されたロック１０、２０から滑り出ることを防止するストッパ４５が設けられている。ストッパ４５は、帯状異形材１１、１２；２１、２２のうちの少なくとも１つの局所的な変更と協働する。好都合な方法では、流れの方向Ｄを向いた溶接線が、局所的な変更として帯状異形材１１、１２；２１、２２に配置される。
【符号の説明】
【００３３】
１  第１の包み
２  第２の包み
３  流路
１０  第１のロック
１１  第１の細い帯状異形材
１２  第１の太い帯状異形材
１３  第１の突き出しているロック部材
２０  第２のロック
２１  第２の細い帯状異形材
２２  第２の太い帯状異形材
２３  第２の突き出しているロック部材
３０  スライダ
３１  挿入面
３２  出口面
３３  Ｕ字形の断面
３４  第２のＵ字形の断面
３５  第１のカバー面
３６  第２のカバー面
３７  ベース
３８  第２のベース
４１  第１の挿入チャネル
４２  第２の挿入チャネル
４３  出口チャネル
４４  すき間
４５  ストッパ
４６  案内レール
γ  角度
Ａ  挿入方向
Ｂ  さらなる挿入方向
Ｃ  スライド方向
Ｄ  流れの方向
【図１】
0005889609.tif 000002
【図２】
0005889609.tif 000003
【図３】
0005889609.tif 000004
【図４】
0005889609.tif 000005
【図５】
0005889609.tif 000006
【図６】
0005889609.tif 000007